(57)【要約】【課題】水中サンドポンプを吊支して繰り出し・巻き取りが自在であって、泥水やスライムによって錆たり固化することがなく、水中サンドポンプの起動時における反力を受けて、その回動を抑制することができるように吊支するスライム処理方法及びその装置を提供することを目的とする。【解決手段】安定液を使用して掘削を完了した地中孔２２内に水中サンドポンプ２を挿入し、該水中サンドポンプ２によってスライム２４を吸引して地中孔２２外に排出する場所打ち杭工法におけるスライム処理装置において、前記水中サンドポンプ２を長手方向全域に１又は複数本の鋼製ワイヤ３ａを埋設した断面矩形状のゴムベルト３を介して繰り出し・巻き取り可能に吊支する場所打ち杭工法におけるスライム処理装置とその方法を基本として提供する。【選択図】図３
2010281152.tif 000002
【特許請求の範囲】
【請求項１】
安定液を使用して掘削を完了した地中孔内に水中サンドポンプを挿入し、該水中サンドポンプによってスライムを吸引して地中孔外に排出する場所打ち杭工法におけるスライム処理方法において、
前記水中サンドポンプを長手方向全域に１又は複数本の鋼製ワイヤを埋設した断面矩形状のゴムベルトを介して繰り出し・巻き取り可能に吊支することにより、前記ゴムベルトによって水中サンドポンプの起動時における反力を受けて水中サンドポンプの回動を抑制することを特徴とする場所打ち杭工法におけるスライム処理方法。
【請求項２】
安定液を使用して掘削を完了した地中孔の近傍に基台をセットして、該基台上に配設したブーム先端のゴムベルト用シーブを介して、ゴムベルト巻取ドラムから繰り出した長手方向全域に１又は複数本の鋼製ワイヤを埋設した断面矩形状のゴムベルトの先端部に連結した水中サンドポンプを地中孔の孔底に降下させ、該水中サンドポンプの駆動に伴って孔底に堆積しているスライムを安定液とともに吸引し、或は前記ゴムベルトを巻き取ることによって地中孔の孔壁に付着するスライムを安定液とともに吸引し、このスライムをゴムベルト巻取ドラムと同軸に配備したホース巻取ドラムから、ブーム先端のホース用シーブを介して繰り出したホースを用いて地中孔の外部へ搬出するとともに、前記ゴムベルトによって水中サンドポンプの起動時における反力を受けて水中サンドポンプの回動を抑制することを特徴とする場所打ち杭工法におけるスライム処理方法。
【請求項３】
水中サンドポンプを水平状態に保つために水中サンドポンプの上端部に装備したトラバーサの両端部をそれぞれゴムベルトで吊支する請求項１又は２記載の場所打ち杭工法におけるスライム処理方法。
【請求項４】
安定液を使用して掘削を完了した地中孔内に水中サンドポンプを挿入し、該水中サンドポンプによってスライムを吸引して地中孔外に排出する場所打ち杭工法におけるスライム処理装置において、
前記水中サンドポンプを長手方向全域に１又は複数本の鋼製ワイヤを埋設した断面矩形状のゴムベルトを介して繰り出し・巻き取り可能に吊支することを特徴とする場所打ち杭工法におけるスライム処理装置。
【請求項５】
安定液を使用して掘削を完了した地中孔内に水中サンドポンプを挿入し、該水中サンドポンプによってスライムを吸引して地中孔外に排出する場所打ち杭工法におけるスライム処理装置において、
基台上に配備したゴムベルト巻取ドラム，ホース巻取ドラム及びキャブタイヤ巻取ドラムと、ゴムベルト巻取ドラムから導出した長手方向全域に１又は複数本の鋼製ワイヤを埋設した断面矩形状のゴムベルトの先端部に吊支した水中サンドポンプと、ホース巻取ドラムから導出されて水中サンドポンプに連結したホースと、キャブタイヤ巻取ドラムから導出されて水中サンドポンプに連結した給電用のキャブタイヤを具備してなることを特徴とする場所打ち杭工法におけるスライム処理装置。
【請求項６】
基台上に立設した支持ブラケットに起伏自在に配設したブームと、上記支持ブラケットに配備したゴムベルト巻取ドラムと、該ゴムベルト巻取ドラムと同軸に配備したホース巻取ドラムと、上記ブーム先端部に配設したゴムベルト用シーブを介してゴムベルト巻取ドラムから導出した長手方向全域に１又は複数本の鋼製ワイヤを埋設した断面矩形状のゴムベルトの先端部に吊支した水中サンドポンプと、前記ホース巻取ドラムから導出されてブーム先端部に配設したホース用シーブを介して上記水中サンドポンプに連結したホースと、前記支持ブラケットの近傍に立設した一対の支持ブラケットに配備したキャブタイヤ巻取ドラムと、該キャブタイヤ巻取ドラムから導出されてブーム先端部に配設したキャブタイヤ用シーブを介して上記水中サンドポンプに連結した給電用のキャブタイヤを具備してなることを特徴とする場所打ち杭工法におけるスライム処理装置。
【請求項７】
前記ゴムベルトは、支持ブラケットの支軸に回動可能に配備した左右一対のゴムベルト巻取ドラムから２本導出した請求項４，５又は６記載の場所打ち杭工法におけるスライム処理装置。
【請求項８】
水中サンドポンプを水平状態に保つために水中サンドポンプの上端部にトラバーサを装備し、該トラバーサの両端部をそれぞれゴムベルトで吊支する請求項４，５，６又は７記載の場所打ち杭工法におけるスライム処理装置。
【発明の詳細な説明】
【技術分野】
【０００１】
本発明は建築物の基礎杭としての場所打ち杭工法において、掘削を完了した地中孔内に安定液とともに残存するスライムを水中サンドポンプを使用して除去する処理方法及びその装置に関するものである。
【背景技術】
【０００２】
従来から建築物の基礎杭としての場所打ち杭工法として、アースドリル工法，ベノト工法，リバースサーキュレーション工法等が提供されている。これらのいずれの工法においても掘削土砂の搬出、掘削機の冷却、地下水等の噴出防止、孔壁の崩壊防止等のため、安定液として泥水を孔内に満して掘削作業を行なっている。そのため、掘削完了後の地中孔から使用済みの泥水と掘削によって生じたスライムを除去するための手段を講じる必要がある。上記スライムは掘削後の泥水に含まれる微細な泥砂等の残渣であり、このスライムが孔底に沈澱して堆積したり孔壁に付着しているため、孔の掘削状況を確認する超音波測定において孔底の掘削先端部や孔壁が測定できないことがあり、所定の掘削ができているか否かを確認する上での障害となってしまうという問題があるためである。
【０００３】
従来のスライム除去手段として、水中サンドポンプを鋼製ワイヤで吊支して地中孔内に挿入し、水中サンドポンプを稼働することによって泥水とともにスライムを吸引して除去する方法が知られている（図８参照）。また、水中サンドポンプを利用したスライム除去方法を改良した方法及び装置例として、本願出願人は先に図１０に示したように、水中サンドポンプ４１をドリリングバケット等の掘削機を取り外したケリーバー４２の下端部に装着し、水中サンドポンプ４１から地中孔４３の外部へホース等の管体４４を延伸して、掘削を完了した地中孔４３の泥水４５内に該ケリーバー４２を挿入し、水中サンドポンプ４１にて孔底４３ａのスライム４６を吸引して管体４４を介して外方に排出するようにしたスライム処理方法及び装置を提案している（特許文献１）。
【０００４】
かかる方法によれば、電動モーター若しくは油圧モーター等で水中サンドポンプ４１を駆動すると同時にケリーバー４２自体を回転させて上方へ引き上げることにより、孔底４３ａのみならず孔壁４３ｂに付着するスライム４６をも泥水４５とともに吸引して管体４４を介して地中孔４３の外部へ搬出することができる。
【０００５】
更に本願出願人は上記ケリーバー方式に代えて、クレーンにて昇降可能なスライド式ステムロッドの下端部に水中ポンプを組み込んだ装置を開発しており、前記ケリーバー方式と同様な動作態様を実現する装置として実用化されている。
【０００６】
しかしながら、単に水中サンドポンプを鋼製ワイヤで吊支して地中孔内に挿入する手段では、水中サンドポンプの起動時における反力によって鋼製ワイヤが捻じれてしまい、水中サンドポンプが回動したり、水中サンドポンプに給電するキャブタイヤ等が損傷したり、水中サンドポンプの巻上げができなくなるという不都合な事態が生じる。また、鋼製ワイヤを構成している素線が鋼製のため腐食性が大きく、特に泥水中では腐食進行が激しいために強度不足の進行が早い。更に、強度不足となった場合には１００ｍを超える長さの鋼製ワイヤの全てを新規部品に交換する必要があり、コスト高となる。
【０００７】
一方、図１０に示したケリーバー方式及び図示しないスライド式ステムロッド方式を採用したスライム処理方法及び装置によれば、起動時における反力に起因する水中サンドポンプ４１の動きが抑えられて前記捻じれ現象がなくなり、しかも前記したように地中孔４３の孔底４３ａのみならず、孔壁４３ｂに付着するスライム４６をも泥水４５とともに管体４４を介して地中孔４３の外部へ搬出することができる。しかしながら、水中サンドポンプ４１の昇降を掘削機のケリーバー４２或いはステムロッドによって行う方式であるため、スライム処理中は掘削機が拘束されることとなり掘削作業を行うことができず作業能率面での課題が残ってしまう。また、スライド式ステムロッド方式を採用した場合には組込作業に余分な手間がかかってしまうという難点もある。
【０００８】
そこで、本願出願人は、掘削機のケリーバーやスライド式ステムロッドに代えて、水中サンドポンプをリーフチェーンにて繰り出し・巻き取り可能に吊支するスライム処理方法及び装置を提案している（特許文献２，図９参照）。このように鎖状の形状を有しているリーフチェーンを用いて水中サンドポンプを吊支したことにより、水中サンドポンプの起動時における反力に起因するリーフチェーンの捻じれ現象が発生せず、水中サンドポンプの回動を抑制することができる。
【先行技術文献】
【特許文献】
【０００９】
【特許文献１】特許第２６４０８４１号
【特許文献２】特許第２６８１３３３号
【発明の概要】
【発明が解決しようとする課題】
【００１０】
しかしながら、特許文献２に示すリーフチェーンは前記したように水中サンドポンプの起動時における反力による水中サンドポンプの回動を抑制する効果は大きいものの、鋼製ワイヤと同様に鋼製であるため、腐食性が大きく、特に泥水中では腐食進行が激しいために強度不足の進行が早い。また、強度不足となった場合には全てを新規部品に交換する必要があり、コスト高となることは鋼製ワイヤと同様である。更に、リーフチェーンはジョイント部分に空間部を有しているため、この空間部に泥水やスライムの泥砂が詰まって固化してしまいジョイント部が屈曲不能となって巻き取りや繰り出しが不能となった場合には、固化したジョイント部分の修復も困難であるため、腐食の進行とは無関係にジョイント部分の固化に起因して頻繁に交換をする問題が生じていた。
【００１１】
そこで本発明は上記事情に鑑みて、水中サンドポンプを吊支して繰り出し・巻き取りが自在であって、泥水やスライムによって錆たり固化することがなく、水中サンドポンプの起動時における反力を受けて、その回動を抑制することができるように吊支することにより、長期間に亘って安定した稼働と昇降動作によって地中孔の孔底と孔壁に付着するスライムをホースを介して外部へスムーズに搬出することができるスライム処理方法及びその装置を提供することを目的とする。
【課題を解決するための手段】
【００１２】
本発明は上記目的を達成するために、安定液を使用して掘削を完了した地中孔内に水中サンドポンプを挿入し、該水中サンドポンプによってスライムを吸引して地中孔外に排出する場所打ち杭工法におけるスライム処理方法において、前記水中サンドポンプを長手方向全域に１又は複数本の鋼製ワイヤを埋設した断面矩形状のゴムベルトを介して繰り出し・巻き取り可能に吊支することにより、前記ゴムベルトによって水中サンドポンプの起動時における反力を受けて水中サンドポンプの回動を抑制する場所打ち杭工法におけるスライム処理方法を基本として提供する。
【００１３】
より具体的には、安定液を使用して掘削を完了した地中孔の近傍に基台をセットして、該基台上に配設したブーム先端のゴムベルト用シーブを介して、ゴムベルト巻取ドラムから繰り出した長手方向全域に１又は複数本の鋼製ワイヤを埋設した断面矩形状のゴムベルトの先端部に連結した水中サンドポンプを地中孔の孔底に降下させ、該水中サンドポンプの駆動に伴って孔底に堆積しているスライムを安定液とともに吸引し、或は前記ゴムベルトを巻き取ることによって地中孔の孔壁に付着するスライムを安定液とともに吸引し、このスライムをゴムベルト巻取ドラムと同軸に配備したホース巻取ドラムから、ブーム先端のホース用シーブを介して繰り出したホースを用いて地中孔の外部へ搬出するとともに、前記ゴムベルトによって水中サンドポンプの起動時における反力を受けて水中サンドポンプの回動を抑制する。そして、水中サンドポンプを水平状態に保つために水中サンドポンプの上端部に装備したトラバーサの両端部をそれぞれゴムベルトで吊支する。
【００１４】
また、安定液を使用して掘削を完了した地中孔内に水中サンドポンプを挿入し、該水中サンドポンプによってスライムを吸引して地中孔外に排出する場所打ち杭工法におけるスライム処理装置において、前記水中サンドポンプを長手方向全域に１又は複数本の鋼製ワイヤを埋設した断面矩形状のゴムベルトを介して繰り出し・巻き取り可能に吊支する場所打ち杭工法におけるスライム処理装置を提供する。
【００１５】
そして、基台上に配備したゴムベルト巻取ドラム，ホース巻取ドラム及びキャブタイヤ巻取ドラムと、ゴムベルト巻取ドラムから導出した長手方向全域に１又は複数本の鋼製ワイヤを埋設した断面矩形状のゴムベルトの先端部に吊支した水中サンドポンプと、ホース巻取ドラムから導出されて水中サンドポンプに連結したホースと、キャブタイヤ巻取ドラムから導出されて水中サンドポンプに連結した給電用のキャブタイヤを具備してなる構成を提供する。
【００１６】
更に、基台上に立設した支持ブラケットに起伏自在に配設したブームと、上記支持ブラケットに配備したゴムベルト巻取ドラムと、該ゴムベルト巻取ドラムと同軸に配備したホース巻取ドラムと、上記ブーム先端部に配設したゴムベルト用シーブを介してゴムベルト巻取ドラムから導出した長手方向全域に１又は複数本の鋼製ワイヤを埋設した断面矩形状のゴムベルトの先端部に吊支した水中サンドポンプと、前記ホース巻取ドラムから導出されてブーム先端部に配設したホース用シーブを介して上記水中サンドポンプに連結したホースと、前記支持ブラケットの近傍に立設した一対の支持ブラケットに配備したキャブタイヤ巻取ドラムと、該キャブタイヤ巻取ドラムから導出されてブーム先端部に配設したキャブタイヤ用シーブを介して上記水中サンドポンプに連結した給電用のキャブタイヤを具備してなる構成、前記ゴムベルトは、支持ブラケットの支軸に回動可能に配備した左右一対のゴムベルト巻取ドラムから２本導出した構成、及び水中サンドポンプを水平状態に保つために水中サンドポンプの上端部にトラバーサを装備し、該トラバーサの両端部をそれぞれゴムベルトで吊支する構成を提供する。
【発明の効果】
【００１７】
本発明によれば、矩形状のゴムベルトの形状及びその可撓性と、ゴムベルトの長手方向全域に埋設した１又は複数本の鋼製ワイヤの強度との相乗効果によって、ゴムベルトを介して吊支した水中サンドポンプの駆動時に発生する回転力による反力に耐えて、捩れたりすることがないため、水中サンドポンプを安定した状態で吊支し、地中孔内に下降させ、又地中孔内から上昇させることができるとともに、巻取ドラムに繰り出し・巻き取り可能である。また、鋼製ワイヤはゴムベルト内に埋設されているため、泥水やスライムに触れることがなく、泥水やスライムによって腐食したり、泥砂分が付着することがないため、長期間安定して使用できる。よって、長期間に亘って安定した稼働と昇降動作が可能となり、地中孔の孔底と孔壁に付着するスライムをホースを介して外部へスムーズに搬出することができる。
【図面の簡単な説明】
【００１８】
【図１】本発明にかかるスライム処理装置の全体斜視図。
【図２】本発明にかかるスライム処理装置の全体側面図。
【図３】一方のブーム先端部の要部斜視図。
【図４】ゴムベルトの断面斜視図。
【図５】ゴムベルトの断面図。
【図６】水中サンドポンプの全体斜視図。
【図７】図６の部分拡大図。
【図８】従来のスライム処理装置のブーム先端部の要部斜視図。
【図９】従来のスライム処理装置のブーム先端部の要部斜視図。
【図１０】従来のスライム処理装置を示す側面図。
【発明を実施するための形態】
【００１９】
以下図面に基づいて本発明にかかる場所打ち杭工法におけるスライム処理方法及びその装置の実施形態を説明する。図１は本発明に使用するスライム処理装置の全体側面図、図２は全体側面図である。図において、スライム処理装置１は水中サンドポンプ２を２本のゴムベルト３を介して繰り出し・巻き取り可能に吊支している。本発明はこの水中サンドポンプ２を吊支する手段として、特殊な構成のゴムベルト３を採用したことに特徴を有する。
【００２０】
先ずスライム処理装置１の全体構成を説明する。４は旋回台、５は旋回台４上に旋回自在に搭載した基台であり、所定幅寸法を有して平面視が矩形状に形成されている。この基台５の略中央部における幅方向両端部に所定高さ寸法を有する側面視が矩形状の一対の支持ブラケット６が立設されている。この一対の支持ブラケット６の上端部の側面にそれぞれ突設した支持部６ａに２本に分割形成したブーム７の基部７ｂが軸支されている。３５はアウトリガーであり、基台５の安定性を維持するために、基台５の角部に付設している。
【００２１】
前記ブーム７の中途部と支持ブラケット６の下端部の側面に設けた支持部６ｂ間には、起伏用シリンダ９が配設されている。更に上記支持ブラケット６の上面に配置した軸受部１０に支軸１１が支持されていて、この支軸１１に左右一対のゴムベルト巻取ドラム１２と、ホース巻取ドラム１３が同軸で、かつ、回動可能に配備されている。
【００２２】
この左右一対のゴムベルト巻取ドラム１２に巻着した２本のゴムベルト３がブーム７の先端部７ａに配設したゴムベルト用シーブ１４に導出され、このゴムベルト用シーブ１４から下方に懸垂されて、先端部３ｃに水中サンドポンプ２が吊支されている。更にホース巻取ドラム１３に巻着したホース８がゴムベルト用シーブ１４の近傍に配設したホース用シーブ１５に導出され、このホース用シーブ１５から下方に懸垂されて、先端部が水中サンドポンプ２に連結されている。
【００２３】
更に前記基台５に立設した一対の支持ブラケット６よりもリヤＲ方向に一対の支持ブラケット１６が立設されていて、この支持ブラケット１６上面に配設した軸受部１７に支軸１８が支持され、この支軸１８にキャブタイヤ巻取ドラム１９が回動可能に配備されている。このキャブタイヤ巻取ドラム１９に巻着した給電用のキャブタイヤ２０がブーム７の先端部７ａに配設したキャブタイヤ用シーブ２１にまで導出されており、このキャブタイヤ用シーブ２１から下方に懸垂されて、先端部が水中サンドポンプ２に連結されている。
【００２４】
本発明は、水中サンドポンプ２を繰り出し・巻き取り可能に吊支して、図２に示す安定液を使用して掘削を完了した地中孔２２に挿入し、地中孔２２内の泥水２３中に存在し、或いは地中孔２２の孔底２２ａや孔壁２２ｂに付着しているスライム２４を水中サンドポンプ２によって吸引して地中孔２２外に排出するものである。そのため、この水中サンドポンプ２を吊支する手段としては次の事項を満たすことが要求される。先ず第１に、水中サンドポンプ２を地中孔２２の孔底２２ａまで、場合によっては１００ｍ以上の深さまで安定して下降・上昇させて巻取ドラムに繰り出し・巻き取り可能であることが要求される。第２に、水中サンドポンプ２の駆動時に発生する回転力による反力によって捩れたりしないことが要求される。第３に、地中孔２２の泥水２３やスライム２４によって腐食することがなく、長期間安定して使用できることである。第４に、地中孔２２の泥水２３やスライム２４に含まれる泥砂分等が付着することによって、繰り出し・巻き取りや巻取ドラムへの巻着に支障を生じないことである。
【００２５】
そこで、本発明では前記した４つの要求を充足するために、水中サンドポンプ２を吊支する手段として、長手方向全域に１又は複数本の鋼製ワイヤ３ａを等間隔に埋設した断面矩形状の長尺のゴムベルト３を採用した。ゴムベルト３は、図４，図５に示すように断面矩形状で水中サンドポンプ２を繰り出し・巻き取るために必要な長さ寸法を有する長尺ののゴム製のベルト本体３ｂの内部の長手方向全域に、外部に露出することがないように３本の鋼製ワイヤ３ａを等間隔に埋設して構成されている。なお、鋼製ワイヤ３ａのサイズや本数及びゴム製のベルト本体３ｂのサイズは、吊支する水中サンドポンプ２の重量やサイズ，地中孔２２の深さに応じて適宜選択すればよい。実施例としては、幅Ｗが３０〜３６ｍｍ、奥行きＤが１６〜１７ｍｍで、長さ８０〜１００ｍのゴム製のベルト本体３ｂに直径２．９〜５．３ｍｍの鋼製ワイヤ３ａを３本埋設したゴムベルト３を使用した。
【００２６】
上記したゴムベルト３を使用すれば、埋設した鋼製ワイヤ３ａによって、水中サンドポンプ２を吊支して、繰り出し・巻き取るための重量に十分耐えうる強度を有するとともに、鋼製ワイヤ３ａはゴム製のベルト本体３ｂの内部に埋設されて外部に露出していないため、泥水２３やスライム２４によって錆びたり泥砂分が付着することによって機能が阻害されることもない。そして、ゴムベルト３は、１方向に折り曲げ自在の性質を有するためゴムベルト巻取ドラム１２に巻着することができる。また、ゴムベルト３は、ゴムベルト巻取ドラム１２の巻取方向、即ち垂直方向には容易に屈曲するが、断面矩形状であるため、水平方向には容易に屈曲しない。そのため、ゴムベルト３は矩形状の形状及びその可撓性と、埋設した鋼製ワイヤ３ａの強度との相乗効果によって、水中サンドポンプ２の起動時における回転力の反力に耐えることができ、反力によって捩れたりすることなく、水中サンドポンプを安定した状態で吊支し、地中孔内に下降させ、又地中孔から上昇させることができる。よって、ゴムベルト３は前記した４つの条件を充足することができる。
【００２７】
更に、ゴムベルト３は、使用による損傷や伸縮が少なく、仮に損傷した場合であっても、補修加工が容易である。また、従来のリーフチェーンに比べて重量が軽く、取り扱いが容易であって、ゴムベルト巻取ドラム１２や水中サンドポンプ２への装着が容易である。
【００２８】
図３は、スライム処理装置１の一方のブーム先端部７ａの要部斜視図であり、ゴムベルト巻取ドラム１２から繰り出したゴムベルト３は、ブーム先端部７ａの上面７ｃに突設した側面視が略三角枠状のガイド２５のガイド孔２５ａを通過して、ゴムベルト用シーブ１４に掛け回されて懸垂される。なお、ブーム７は２本に分割形成されており、他方の先端部７ａにも同様の構成でゴムベルト３が懸垂されている。なお、２６は２つに分割した先端部７ａの上面７ｃにそれぞれ突設したガイド２５を連結する連結杆である。
【００２９】
ゴムベルト用シーブ１４から懸垂させたゴムベルト３の先端部は、水中サンドポンプ２に連結されている。図６は水中サンドポンプ２の全体斜視図、図７は図６のＡ部分の部分拡大図である。図に示すように水中サンドポンプ２の上端面２７に立設した左右一対のブラケット２８に配置した支軸２９に垂直方向に回動自在に軸着したアーム状のトラバーサ３０の両端部に、それぞれ支軸３１を介して垂直方向に回動可能に中空のソケット３２が軸着されている。このソケット３２の中空部にゴムベルト用シーブ１４から懸垂させたゴムベルト３の先端部３ｃを挿入して折り返すとともに、先端部３ｃをソケット３２の外部に導出し、ソケット３２内のゴムベルト３の折返部にコッター３３を嵌入させてゴムベルト３を水中サンドポンプ２に固着する。なお、トラバーサ３０は地中孔２２内に吊支した水中サンドポンプ２の水平を維持するためのものである。
【００３０】
上記した構成のスライム処理装置１を使用したスライム処理方法を説明する。図２に示すように、一般に掘削を完了した地中孔２２内には安定液としての泥水２３が満たされており、この地中孔２２の近傍に本発明にかかるスライム処理装置１をセットして、旋回台４上での基台５の位置を決定し、アウトリガー３５によって姿勢を安定化させる。
【００３１】
次に起伏用シリンダ９を駆動してブーム７の起伏動作を行い、該ブーム７の先端部７ａに配設したゴムベルト用シーブ１４の位置を決定してから、駆動装置３４を起動し、左右一対のゴムベルト巻取ドラム１２から２本のゴムベルト３を繰り出すことにより、このゴムベルト３が地中孔２２の孔底２２ａにまで降下する。この時にゴムベルト巻取ドラム１２と同軸に配備したホース巻取ドラム１３から、ホース用シーブ１５を介して繰り出されたホース８の先端部が水中サンドポンプ２に連結され、更にキャブタイヤ巻取ドラム１９に巻着した給電用のキャブタイヤ２０がキャブタイヤ用シーブ２１を介して同様に繰り出される。
【００３２】
作業の都合上、水中サンドポンプ２が地中孔２２の孔底２２ａに達する前に水中サンドポンプ２の降下を一旦停止させ、吊支した状態のままでキャブタイヤ２０に給電することにより、水中サンドポンプ２の駆動が開始される。その後再度駆動装置３４の作動によってゴムベルト３を地中孔２２の孔底２２ａにまで降下させることにより、水中サンドポンプ２の働きによって孔底２２ａに堆積しているスライム２４が吸引され、更に２本のゴムベルト３を引き上げることによって地中孔２２の孔壁２２ｂに付着するスライム２４が泥水２３とともに吸引されて、ホース８を介して地中孔２２の外部へ搬出することができる。
【００３３】
図８，図９は、本発明にかかるブーム先端部７ａの要部斜視図を表す図３に対応させた従来例であり、図８はブームの先端部４７に装備されたシーブ４８から鋼製ワイヤ４９を懸垂させて、その先端部に水中サンドポンプ（図示略）を吊支した例を示している。また、図９はブームの先端部５０に装備されたシーブ５１から、特許文献２にかかるリーフチェーン５２を懸垂させて、その先端部に水中サンドポンプ（図示略）を吊支した例を示している。
【００３４】
図８に示す鋼製ワイヤ４９で吊支した場合は、水中サンドポンプの起動時における反力によって鋼製ワイヤが捻じれてしまい、水中サンドポンプが回動したり、水中サンドポンプに給電するキャブタイヤ等が損傷したり、水中サンドポンプの巻上げができなくなるという不都合な事態が生じる。また、鋼製ワイヤが泥水やスライムによって腐食してしまう。
【００３５】
また、図９に示すリーフチェーン５２で吊支した場合は、水中サンドポンプの起動時における反力の問題は解決できるものの、鋼製ワイヤ４９と同様に腐食性が大きく、又リーフチェーン５２のジョイント部分の空間に泥水やスライムの泥砂が詰まって固化してしまいジョイント部が屈曲不能となって巻き取りや繰り出しができなくなってしまう。
【００３６】
これに対して、本発明は鋼製ワイヤ３ａを埋設したゴムベルト３によって、水中サンドポンプ２を吊支して、繰り出し・巻き取るための重量に十分耐えうる強度を有するとともに、鋼製ワイヤ３ａはゴム製のベルト本体３ｂの内部に埋設されて外部に露出していないため、泥水２３やスライム２４によって錆びたり泥砂分によって機能が阻害されることもない。また、ゴムベルト３は、ゴムベルト巻取ドラム１２の巻取方向、即ち垂直方向には容易に屈曲するが、断面矩形状であるため、水平方向には容易に屈曲しないため、ゴムベルト３は水中サンドポンプ２の起動時における回転力の反力によって捩れたりすることがない。
【産業上の利用可能性】
【００３７】
以上記載した本発明によれば、水中サンドポンプを吊支して繰り出し・巻き取りが自在であって、泥水やスライムによって錆たり固化することがなく、水中サンドポンプの起動時における反力を受けて、その回動を抑制することができるように吊支することにより、長期間に亘って安定した稼働と昇降動作によって地中孔の孔底と孔壁に付着するスライムをホースを介して外部へスムーズに搬出することができる。
【符号の説明】
【００３８】
１…スライム処理装置
２…水中サンドポンプ
３…ゴムベルト
４…旋回台
５…基台
６，１６…支持ブラケット
７…ブーム
８…ホース
９…起伏用シリンダ
１０…軸受部
１１，１８，２９…支軸
１２…ゴムベルト巻取ドラム
１３…ホース巻取ドラム
１４…ゴムベルト用シーブ
１５…ホース用シーブ
１７…軸受部
１９…キャブタイヤ巻取ドラム
２０…キャブタイヤ
２１…キャブタイヤ用シーブ
２２…地中孔
２３…泥水
２４…スライム
２５…ガイド
２６…連結杆
２７…上端面
２８…ブラケット
３０…トラバーサ
３２…ソケット
３３…コッター
【図１】
2010281152.tif 000003
【図２】
2010281152.tif 000004
【図３】
2010281152.tif 000005
【図４】
2010281152.tif 000006
【図５】
2010281152.tif 000007
【図６】
2010281152.tif 000008
【図７】
2010281152.tif 000009
【図８】
2010281152.tif 000010
【図９】
2010281152.tif 000011
【図１０】
2010281152.tif 000012